Podtech/llm-jp-corpus-v4-ja_patent huggingface dataset:
【手続補正書】
【提出日】平成28年12月21日(2016.12.21)
【手続補正１】
【補正対象書類名】明細書
【補正対象項目名】００１４
【補正方法】変更
【補正の内容】
【００１４】
本発明の被研磨物保持材は、繊維基材に熱硬化性樹脂を含浸してなる繊維強化樹脂シートを複数枚積層してなるものであって、外層が、アラミド繊維基材を用いた繊維強化シートからなり、中間層の繊維強化樹脂シートが、ポリフェニレンスルフィド繊維基材を用いた繊維強化樹脂シートからなることを特徴とする。
ポリフェニレンスルフィド繊維はほとんど吸湿が無い為、ポリフェニレンスルフィド繊維基材を用いた繊維強化樹脂シートを中間層に用いることにより、反りが起こらず、厚み精度が向上する。更に金属元素含有量も少なくできる。また、低コストで生産可能であり、加工性も良好となる。
【手続補正２】
【補正対象書類名】明細書
【補正対象項目名】００３１
【補正方法】変更
【補正の内容】
【００３１】
上記ポリエーテル系成分の平均分子量は２０００〜１３０００が好ましく、より好ましくは３０００〜１００００である。平均分子量２０００以上で繊維表面に強固な油膜を形成することが出来、平均分子量が１３０００以下であれば、油脂分の粘度は増加することにより摩擦係数は高くなるが、高次工程通過性に影響を及ぼさない傾向があるためである。
本発明でいう、平均分子量とは、ＧＰＣ（ゲルパーミエイションクロマトグラフィー）で測定される数平均分子量である。
【手続補正３】
【補正対象書類名】明細書
【補正対象項目名】００３３
【補正方法】変更
【補正の内容】
【００３３】
ポリフェニレンスルフィド繊維の表面に付着している油脂分量は、０．４〜１．５質量％が好ましい。すなわち、油脂分による強固な油膜を繊維表面上に十分に形成させるには０．４質量％以上が好ましい。また付着している油脂分量が多いと、ポリフェニレンスルフィド繊維表面に付着しきれない油脂分が紡糸時の各ローラーに付着し、安定製造の妨げとなる傾向がある点から、上記油脂分量は１．５質量％以下が好ましい。より好ましくは０．６〜１．３質量％である。
【手続補正４】
【補正対象書類名】明細書
【補正対象項目名】００３９
【補正方法】変更
【補正の内容】
【００３９】
本発明に係る繊維強化樹脂シートは、例えば、以下の方法により製造すればよい。すなわち、各繊維基材に、樹脂を含浸させ、乾燥させることにより、繊維強化シートを調製する。
具体的には、熱硬化性樹脂を用いる場合、熱硬化性樹脂を溶剤に溶解した樹脂組成物を調製し、それを前記繊維基材に塗布後、バーコーターやクリアランスロールなどを用いて余分な樹脂組成物を掻き取ることにより、繊維強化シートを調製することができる。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
物体が格納された容器を含む画像を取得する取得手段と、
前記画像に基づいて前記容器内の状態を推定する状態推定手段と、
前記状態推定手段によって推定された結果に基づいて、前記容器内の物体が不足しているか否かを判断する判断手段と、
前記判断手段によって判断された結果を出力する出力手段とを備えることを特徴とする情報処理装置。
【請求項２】
前記状態推定手段は、前記物体の領域と前記容器の底面領域のうち、少なくともいずれか一方を検出し、該検出された結果に基づいて前記容器内の物体が不足しているか否かを判断することを特徴とする請求項１に記載の情報処理装置。
【請求項３】
前記状態推定手段は、前記物体の前記容器内での分布を取得し、該取得した分布に基づいて、前記容器内の物体が不足しているか否かを判断することを特徴とする請求項１に記載の情報処理装置。
【請求項４】
更に、前記判断手段によって前記容器内の物体が不足していると判断された場合に、前記容器に物体を供給する供給手段を備えることを特徴とする請求項１乃至３のいずれか１項に記載の情報処理装置。
【請求項５】
更に、前記判断手段によって前記容器内の物体が不足していると判断された場合に、前記容器内の物体が不足していることを報知する報知手段を備えることを特徴とする請求項１乃至４のいずれか１項に記載の情報処理装置。
【請求項６】
前記画像に基づいて前記物体の位置姿勢を推定する位置姿勢推定手段と、
前記位置姿勢推定手段によって推定された位置姿勢に基づいて、物体を保持するように保持手段を制御する制御手段と、を更に有することを特徴とする請求項１乃至５のいずれか１項に記載の情報処理装置。
【請求項７】
前記位置姿勢推定手段は、前記画像から特徴量を抽出し、当該抽出した特徴量に基づいて前記物体の位置姿勢を推定することを特徴とする請求項６に記載の情報処理装置。
【請求項８】
前記制御手段は、物体を保持するように保持手段を制御する処理を、前記状態推定手段が前記容器内の状態を推定する処理と並行して実行することを特徴とする請求項６または７に記載の情報処理装置。
【請求項９】
物体が格納された容器を含む画像を取得する取得工程と、
前記画像に基づいて前記物体の位置姿勢を推定する位置姿勢推定工程と、
前記画像に基づいて前記容器内の状態を推定する状態推定工程と、
前記状態推定工程において推定された結果に基づいて、前記容器内の物体が不足しているか否かを判断する判断工程と、
前記判断工程において判断された結果を出力する出力工程とを備えることを特徴とする情報処理装置。
【請求項１０】
コンピュータを、請求項１乃至８のいずれか１項に記載の情報処理装置の各手段として機能させるためのプログラム。
【手続補正２】
【補正対象書類名】明細書
【補正対象項目名】０００９
【補正方法】変更
【補正の内容】
【０００９】
上記課題を解決するために、本発明の情報処理装置は、物体が格納された容器を含む画像を取得する取得手段と、前記画像に基づいて前記容器内の状態を推定する状態推定手段と、前記状態推定手段によって推定された結果に基づいて、前記容器内の物体が不足しているか否かを判断する判断手段と、前記判断手段によって判断された結果を出力する出力手段とを備えることを特徴とする。
【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
被検体に対する造影剤投与後の時系列的な複数の血流画像を示す複数の第１の画像データを取得する血流画像取得部と、
前記複数の第１の画像データに基づいて生成された各画素の画素値の時間変化情報である第２の画像データ上で着目領域を設定する着目領域設定部と、
前記着目領域の血流情報に基づいて、前記複数の第１の画像データのうちの複数個を再生区間として選択する再生区間選択部と
を備えた画像処理装置。
【請求項２】
前記再生区間選択部は、
前記複数個の第１の画像データとして連続した複数の画像データを選択する、
請求項１記載の画像処理装置。
【請求項３】
前記着目領域設定部は、
前記複数の第１の画像データに基づいて生成された各画素の画素値の時間変化情報である第２の画像データ上の点を少なくとも２点設定し、この２点に応じて前記着目領域を設定する、
請求項１または２に記載の画像処理装置。
【請求項４】
前記第２の画像データは、前記時系列的な複数の血流画像に基づいて生成されたカラー画像である、
請求項１ないし３のいずれか１項に記載の画像処理装置。
【請求項５】
前記複数の第１の画像データは、
前記被検体に対する造影剤投与後の時系列的な複数のＸ線画像の投影データ、又は、前記複数のＸ線画像の投影データから得られる時系列的な複数のＤＳＡ画像の画像データである、
請求項１ないし４のいずれか１項に記載の画像処理装置。
【請求項６】
前記着目領域設定部は、前記着目領域に関して入力された情報を受けて、前記入力された情報に応じて前記着目領域を設定する、
請求項１ないし５のいずれか１項に記載の画像処理装置。
【請求項７】
前記着目領域設定部は、前記時系列的な複数の血流画像間の差分画像に対して閾値処理を施し、前記閾値処理の結果に基づいて前記着目領域を設定する、
請求項１ないし５のいずれか１項に記載の画像処理装置。
【請求項８】
画像処理装置に接続されたモニタ上で、前記再生区間内の複数の血流画像を時系列順に連続表示させる表示制御部、
をさらに備えた請求項１ないし７のいずれか１項に記載の画像処理装置。
【請求項９】
前記表示制御部は、前記着目領域以外の領域を固定色で遮蔽表示にするか、又は、前記着目領域の外縁に枠を重畳表示することで、前記着目領域を前記モニタ上で識別表示させる、
請求項８記載の画像処理装置。
【請求項１０】
前記表示制御部は、前記血流画像における前記着目領域以外の領域を表示せずに、前記着目領域を前記モニタに拡大表示させる、
請求項８または９に記載の画像処理装置。
【請求項１１】
前記第２の画像データとして、時系列的な複数のパラメトリック時相画像の画像データを生成する派生画像生成部をさらに備え、
前記血流画像取得部は、前記時系列的な複数のＤＳＡ画像の画像データを前記時系列的な複数の血流画像の画像データとして取得し、
前記派生画像生成部は、前記時系列的な複数のＤＳＡ画像を通して同位置に該当する画素毎に画素値の時間変化を算出し、前記画素値の時間変化に基づいて血流情報パラメータ値を画素毎に算出し、前記血流情報パラメータ値に応じて時相毎に変化する有彩色のパターンを前記同位置の画素毎に割り当てることで、前記第２の画像データとして前記時系列的な複数のパラメトリック時相画像の画像データを生成し、
前記表示制御部は、前記モニタ上の互いに異なる表示領域においてそれぞれ、前記再生区間内の複数のＤＳＡ画像を連続表示させると同時に、前記時系列的な複数のパラメトリック時相画像を連続表示させる、
請求項８ないし１０のいずれか１項に記載の画像処理装置。
【請求項１２】
前記血流画像取得部は、各位置の画素を通して、前記時相毎に変化する有彩色のパターンの１周期の長さを揃えることで、前記時系列的な複数のパラメトリック時相画像の画像データを生成し、
前記表示制御部は、前記再生区間内の全てのＤＳＡ画像を時系列順に連続表示させる期間と、前記時系列的な複数のパラメトリック時相画像の１周期分を時系列順に連続表示させる期間とが合致するように、前記時系列的な複数のパラメトリック時相画像のフレームレートを制御する、
請求項１１記載の画像処理装置。
【請求項１３】
前記血流画像取得部は、各位置の画素を通して、前記時相毎に変化する有彩色のパターンの１周期の長さを揃えることで、前記時系列的な複数のパラメトリック時相画像の画像データを生成し、
前記表示制御部は、前記再生区間内の全てのＤＳＡ画像を時系列順に連続表示させる期間と、前記時系列的な複数のパラメトリック時相画像の複数周期分を時系列順に連続表示させる期間とが合致するように、前記時系列的な複数のパラメトリック時相画像のフレームレートを制御する、
請求項１１記載の画像処理装置。
【請求項１４】
造影剤投与後の複数のタイミングにおいて前記被検体を透過したＸ線をそれぞれ検出することで、前記複数の第１の画像データを生成するＸ線撮像部と、
請求項１ないし１３のいずれか１項に記載の画像処理装置と
を備えたＸ線診断装置。
【請求項１５】
コンピュータを、
被検体に対する造影剤投与後の時系列的な複数の血流画像を示す複数の第１の画像データを取得する血流画像取得部と、
前記複数の第１の画像データに基づいて生成された各画素の画素値の時間変化情報である第２の画像データ上で着目領域を設定する着目領域設定部と、
前記着目領域の血流情報に基づいて、前記複数の第１の画像データのうちの複数個を再生区間として選択する再生区間選択部と、
として機能させるための画像処理プログラム。
【手続補正２】
【補正対象書類名】明細書
【補正対象項目名】発明の名称
【補正方法】変更
【補正の内容】
【発明の名称】画像処理装置、Ｘ線診断装置、及び、画像処理プログラム
【手続補正３】
【補正対象書類名】明細書
【補正対象項目名】０００１
【補正方法】変更
【補正の内容】
【０００１】
本発明の実施形態は、画像処理装置、Ｘ線診断装置、及び、画像処理プログラムに関する。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
複数の異なる第１操作領域を有する操作部と、
ゲーム中に、１つ又は複数の前記第１操作領域の隣同士の組み合わせを操作単位として設定する設定部と、
設定された組み合わせを記憶する記憶部と、
前記操作単位である第２操作領域に対する操作時期をプレイヤに指示する指示部と、
前記第２操作領域への操作タイミングを前記操作時期に基づいて評価する評価部と、
を備えるゲーム装置。
【請求項２】
前記記憶部は、
前記ゲーム中の異なるタイミングで設定された異なる操作単位を記憶する、請求項１に記載のゲーム装置。
【請求項３】
前記操作部は、複数の操作部材を有し、
前記第１操作領域は、少なくとも１つの前記操作部材で形成される、請求項１又は２に記載のゲーム装置。
【請求項４】
前記操作部材は、発光色を変更可能な発光部を有し、
前記ゲーム中の異なるタイミングで設定された異なる操作単位ごとに、異なる発光色で発光させる発光制御部をさらに備える、請求項３に記載のゲーム装置。
【請求項５】
前記指示部は、
前記第２操作領域の大きさに対応する指示標識と、前記操作部に対する操作入力の時期の基準となる基準標識とを表示部に表示させ、前記表示部に表示された前記指示標識と前記基準標識との位置関係を変化させて、前記第２操作領域に対する操作時期をプレイヤに指示する、請求項１乃至４いずれか一項に記載のゲーム装置。
【請求項６】
前記指示部は、指示標識の色を用いて前記第２操作領域に対する操作内容をプレイヤに指示する、請求項５に記載のゲーム装置。
【請求項７】
複数の異なる第１操作領域を有する操作部と、
１つ又は複数の前記第１操作領域の組み合わせを操作単位として設定する設定部と、
一回のプレイ毎に、前記設定部により設定されたそれぞれ操作単位の異なる複数の組み合わせを記憶する記憶部と、
前記操作単位である第２操作領域に対する操作時期を、前記設定部により設定された前記操作単位に応じた大きさである複数の指示標識と前記操作部に対する操作入力の時期の基準となる基準標識を表示部に表示させ、前記表示部に表示された前記指示標識と前記基準標識との位置関係を変化させて、プレイヤに指示する指示部と、
前記第２操作領域への操作タイミングを前記操作時期に基づいて評価する評価部と、
を備えるゲーム装置。
【請求項８】
ゲーム中に、操作部に設けられた１つ又は複数の第１操作領域の隣同士の組み合わせを操作単位として設定する設定ステップと、
設定された組み合わせを記憶部に記憶する記憶ステップと、
前記操作単位である第２操作領域に対する操作時期をプレイヤに指示する指示ステップと、
前記第２操作領域への操作タイミングを前記操作時期に基づいて評価する評価ステップと、
をコンピュータに実行させるプログラム。
【手続補正書】
【提出日】平成29年5月29日(2017.5.29)
【手続補正１】
【補正対象書類名】特許請求の範囲
【補正対象項目名】全文
【補正方法】変更
【補正の内容】
【特許請求の範囲】
【請求項１】
二次元状に配列された複数の放射線検出素子を備えるセンサーパネルと、
前記センサーパネルを収納する筐体と、
前記筐体内の気圧を測定する気圧測定手段と、
を備え、
前記筐体に、当該筐体の内外の空気を流通可能とする通気孔が設けられている放射線画像撮影装置の防水性能検査方法において、
前記放射線画像撮影装置の前記筐体に荷重を付与し続ける荷重付与工程と、
前記放射線画像撮影装置の前記筐体に前記荷重を付与し続けている間に変化する前記筐体内の気圧を前記気圧測定手段により測定する気圧測定工程と、
測定された前記筐体内の気圧の変化の仕方に基づいて、前記放射線画像撮影装置の防水性能が正常か否かを判定する防水性能判定工程と、
を有することを特徴とする放射線画像撮影装置の防水性能検査方法。
【請求項２】
前記防水性能判定工程では、測定された前記筐体内の気圧の変化率、前記筐体内の気圧が所定の気圧まで低下するまでの時間、または所定時間の間に低下した前記筐体内の気圧の変化量に基づいて、前記放射線画像撮影装置の防水性能が正常か否かを判定することを特徴とする請求項１に記載の放射線画像撮影装置の防水性能検査方法。
【請求項３】
少なくとも前記荷重付与工程と前記気圧測定工程とを、前記通気孔を塞いだ状態で行うことを特徴とする請求項１または請求項２に記載の放射線画像撮影装置の防水性能検査方法。
【請求項４】
二次元状に配列された複数の放射線検出素子を備えるセンサーパネルと、
前記センサーパネルを収納する筐体と、
前記筐体内の気圧を測定する気圧測定手段と、
を備え、
前記筐体に、当該筐体の内外の空気を流通可能とする通気孔が設けられている放射線画像撮影装置の防水性能検査方法において、
前記放射線画像撮影装置の前記筐体に荷重を付与して前記通気孔から前記筐体内の空気を外部に流出させる荷重付与工程と、
前記荷重の付与を解除した時点から上昇し続ける前記筐体内の気圧を前記気圧測定手段により測定する気圧測定工程と、
測定された前記筐体内の気圧の変化の仕方に基づいて、前記放射線画像撮影装置の防水性能が正常か否かを判定する防水性能判定工程と、
を有することを特徴とする放射線画像撮影装置の防水性能検査方法。
【請求項５】
前記防水性能判定工程では、測定された前記筐体内の気圧の変化率、前記筐体内の気圧が所定の気圧まで上昇するまでの時間、または所定時間の間に上昇した前記筐体内の気圧の変化量に基づいて、前記放射線画像撮影装置の防水性能が正常か否かを判定することを特徴とする請求項４に記載の放射線画像撮影装置の防水性能検査方法。
【請求項６】
前記通気孔には、前記筐体内への液体の浸入を防止するための通気フィルターが設けられていることを特徴とする請求項１から請求項５のいずれか一項に記載の放射線画像撮影装置の防水性能検査方法。
【請求項７】
前記荷重付与工程では、前記放射線画像撮影装置の前記筐体の一部に形成された、前記筐体の他の部分よりも軟らかい部分に荷重を付与することを特徴とする請求項１から請求項６のいずれか一項に記載の放射線画像撮影装置の防水性能検査方法。
【請求項８】
前記防水性能判定工程では、測定された前記筐体内の気圧の変化の仕方と、新品の状態の前記放射線画像撮影装置において測定された前記筐体内の気圧の変化の仕方とを比較することにより、前記放射線画像撮影装置の防水性能が正常か否かを判定することを特徴とする請求項１から請求項７のいずれか一項に記載の放射線画像撮影装置の防水性能検査方法。
【手続補正２】
【補正対象書類名】明細書
【補正対象項目名】発明の名称
【補正方法】変更
【補正の内容】
【発明の名称】放射線画像撮影装置の防水性能検査方法
【手続補正３】
【補正対象書類名】明細書
【補正対象項目名】０００１
【補正方法】変更
【補正の内容】
【０００１】
本発明は、放射線画像撮影装置の防水性能検査方法に係り、特に、放射線検出素子が二次元状に配列された放射線画像撮影装置の防水性能の検査方法等に関する。
【手続補正４】
【補正対象書類名】明細書
【補正対象項目名】００１０
【補正方法】変更
【補正の内容】
【００１０】
本発明は、上記の問題点を鑑みてなされたものであり、放射線画像撮影装置の防水性能を精度良く検査することが可能であり、しかも検査を容易かつ比較的短時間で行うことが可能な放射線画像撮影装置の防水性能検査方法を提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
本発明のような方式の放射線画像撮影装置の防水性能検査方法によれば、放射線画像撮影装置の防水性能を精度良く検査することが可能となり、しかも検査を容易かつ比較的短時間で行うことが可能となる。
【手続補正書】
【提出日】平成29年11月20日(2017.11.20)
【手続補正１】
【補正対象書類名】明細書
【補正対象項目名】発明の名称
【補正方法】変更
【補正の内容】
【発明の名称】磁気共鳴イメージング装置及び医用画像処理方法
【手続補正２】
【補正対象書類名】明細書
【補正対象項目名】０００８
【補正方法】変更
【補正の内容】
【０００８】
実施形態の磁気共鳴イメージング装置は、生成部と、入力部と、表示制御部とを備える。生成部は、対象を含む３次元データから検出された前記対象の特徴部位に基づいて、本撮像の断面位置を設定するための複数の断面像を生成し、前記複数の断面像を表示部に表示させるとともに、前記複数の断面像のうち少なくとも１つの断面像上に前記特徴部位に対応するマークを重畳させる。入力部は、断面位置の設定操作を受け付ける。表示制御部は、前記設定操作にて前記マークが選択されると、表示された前記複数の断面像のうち、当該マークに対応する特徴部位を用いて断面位置が定義される断面像を、強調表示させる。
【手続補正３】
【補正対象書類名】特許請求の範囲
【補正対象項目名】全文
【補正方法】変更
【補正の内容】
【特許請求の範囲】
【請求項１】
対象を含む３次元データから検出された前記対象の特徴部位に基づいて、本撮像の断面位置を設定するための複数の断面像を生成し、前記複数の断面像を表示部に表示させるとともに、前記複数の断面像のうち少なくとも１つの断面像上に前記特徴部位に対応するマークを重畳させる生成部と、
断面位置の設定操作を受け付ける入力部と、
前記設定操作にて前記マークが選択されると、表示された前記複数の断面像のうち、当該マークに対応する特徴部位を用いて断面位置が定義される断面像を、強調表示させる表示制御部と、
を備える、磁気共鳴イメージング装置。
【請求項２】
前記表示制御部は、前記設定操作にて前記マークの位置が変更されている間、表示された前記複数の断面像のうち、当該マークに対応する特徴部位を用いて断面位置が定義される断面像を、強調表示させる、請求項１に記載の磁気共鳴イメージング装置。
【請求項３】
前記表示制御部は、前記設定操作にて前記マークの位置が変更されている間に加えて、当該設定操作を終えた後も、表示された前記複数の断面像のうち、当該マークに対応する特徴部位を用いて断面位置が定義される断面像を、強調表示し続ける、請求項１に記載の磁気共鳴イメージング装置。 
【請求項４】
前記表示制御部は、前記設定操作にて前記対象に関する特徴部位が選択されると、表示された前記複数の断面像のうち、当該特徴部位を用いて断面位置が定義される断面像を、強調表示させる、請求項１に記載の磁気共鳴イメージング装置。 
【請求項５】
前記表示制御部は、前記設定操作にて前記マークの位置が変更された場合に、当該マークに対応する特徴部位を用いて断面位置が定義される断面像の当該断面位置の変化の大きさを算出し、当該断面像を、算出した当該断面位置の変化の大きさに応じた度合いで強調表示させる、請求項１〜３のいずれか１項に記載の磁気共鳴イメージング装置。 
【請求項６】
前記表示制御部は、前記表示部に強調表示された断面像において、前記設定操作にて第１の特徴部位に対応するマークが選択された場合に、強調表示された当該断面像以外の他の強調表示された断面像において既に前記第１の特徴部位に対応するマークの位置が変更されているときには、強調表示された当該断面像の強調表示を解除する、請求項３に記載の磁気共鳴イメージング装置。 
【請求項７】
前記表示制御部は、前記表示部に強調表示された断面像において、前記設定操作にて第１の特徴部位に対応するマークが選択された場合に、強調表示された当該断面像以外の他の強調表示された断面像において前記第１の特徴部位に対応するマークの位置が変更されていないときには、前記第１の特徴部位の位置を用いて断面位置が定義される他の断面像を、強調表示させる、請求項３に記載の磁気共鳴イメージング装置。 
【請求項８】
前記生成部は、前記特徴部位の位置を示す情報を、表示された前記複数の断面像のうち少なくとも一つの断面像上に重畳させ、
前記表示制御部は、前記設定操作にて前記情報が変更された場合に、当該情報によって断面位置が定義される他の断面像を、強調表示させる、請求項１に記載の磁気共鳴イメージング装置。 
【請求項９】
前記表示制御部は、表示された前記複数の断面像のうち少なくとも１つの断面像に対して断面位置を確定する指示が前記設定操作にて入力された場合に、前記複数の断面像のうち、少なくとも１つの当該断面像を、強調表示させ、少なくとも１つの当該断面像以外の断面像において、少なくとも１つの当該断面像の断面位置を定義する特徴部位に対応するマークの位置が前記設定操作にて変更された場合であっても、少なくとも１つの当該断面像の断面位置を変更しない、請求項１〜８のいずれか１項に記載の磁気共鳴イメージング装置。
【請求項１０】
前記表示制御部は、第１の設定操作にてマークが選択されることにより強調表示される断面像と、前記第１の設定操作とは異なる第２の設定操作にてマークが選択されることにより強調表示される断面像とを、異なる態様で表示させる、請求項１に記載の磁気共鳴イメージング装置。
【請求項１１】
前記設定操作後の断面位置に基づいて、本撮像を実行するシーケンス制御部を更に備える、請求項１〜１０のいずれか１項に記載の磁気共鳴イメージング装置。
【請求項１２】
対象を含む３次元データに基づいて、本撮像の断面位置を設定するための、前記対象の複数の断面位置に対応する複数の断面像を生成し、前記複数の断面像を表示部に表示させる生成部と、
断面位置の設定操作を受け付ける入力部と、
表示された前記複数の断面像のうち少なくとも１つの断面像の断面位置を確定する指示が前記設定操作にて入力された場合には、表示された前記複数の断面像のうち少なくとも１つの当該断面像を、強調表示させる表示制御部と、
を備える、磁気共鳴イメージング装置。 
【請求項１３】
対象を含む３次元データに基づいて、本撮像の断面位置を設定するための、前記対象の複数の断面位置に対応する複数の断面像を生成し、前記複数の断面像を表示部に表示させる生成部と、
断面位置の設定操作を受け付ける入力部と、
表示された前記複数の断面像のうち１つの断面像の断面位置と他の断面像の断面位置とが交差する交差線が前記設定操作にて選択された場合に、他の当該断面像を、強調表示させる表示制御部と、
を備える、磁気共鳴イメージング装置。
【請求項１４】
対象を含む３次元データから検出された前記対象の特徴部位に基づいて、本撮像の断面位置を設定するための複数の断面像を生成し、
前記複数の断面像を表示部に表示させるとともに、前記複数の断面像のうち少なくとも１つの断面像上に前記特徴部位に対応するマークを重畳させ、
断面位置の設定操作を受け付け、
前記設定操作にて前記マークが選択されると、表示された前記複数の断面像のうち、当該マークに対応する特徴部位を用いて断面位置が定義される断面像を、強調表示させる、医用画像処理方法。
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
ストラップの一端をアームレスト内のロック機構に連結し、該ストラップの他端をアームレストの先端の開口部から露出させ、該露出させたストラップを前記開口部から離れる方向に引くことで前記ロック機構が解除されてアームレストが回動可能となるアームレストのロック解除装置であって、
前記アームレストはベースフレームを有し、該ベースフレーム内に前記ロック機構と該ロック機構に連結したストラップの一端を有し、
前記アームレストの先端の開口部は前記ベースフレームの先端の開口部と連通しており、
前記ベースフレームに支持されたピンを有し、
前記ストラップはループ部を有し、
前記ピンは前記ストラップのループ部に挿通されており、
前記ピンと前記ループ部により前記ストラップの移動が規制されていることを特徴とするアームレストのロック解除装置。
【請求項２】
請求項１に記載のアームレストのロック解除装置であって、
前記ピンは前記ベースフレームの開口部から離れた位置で、かつ、前記露出させたストラップの長さよりも短い位置に設けられていることを特徴とするアームレストのロック解除装置。
【請求項３】
請求項１または２のいずれか１項に記載のアームレストのロック解除装置であって、
前記ストラップのループ部の前記ベースフレームの開口部側端の位置は前記ロック機構が解除されない位置に設定され、前記ループ部の前記ロック機構側端の位置は前記ロック機構を解除できる位置に設定されていることを特徴とするアームレストのロック解除装置。
【請求項４】
請求項１から３のいずれか１項に記載のアームレストのロック解除装置であって、
前記ベースフレームの開口部にベゼルを有し、該ベゼルの開口部を介して、前記ストラップの他端をアームレストの先端の開口部から露出させることを特徴とするアームレストのロック解除装置。
【請求項５】
請求項１から４のいずれか１項に記載のアームレストのロック解除装置であって、
前記ストラップのループ部は、ストラップを２重にして縫製することで構成されていることを特徴とするアームレストのロック解除装置。
【請求項６】
シートバックの側面に回動可能に支持されたアームレストを有するアームレスト付きシートであって、
ストラップの一端をアームレスト内のロック機構に連結し、該ストラップの他端をアームレストの先端の開口部から露出させ、該露出させたストラップを前記開口部から離れる方向に引くことで前記ロック機構が解除されてアームレストが回動可能となり、
前記アームレストはベースフレームを有し、該ベースフレーム内に前記ロック機構と該ロック機構に連結したストラップの一端を有し、
前記アームレストの先端の開口部は前記ベースフレームの先端の開口部と連通しており、
前記ベースフレームに支持されたピンを有し、
前記ストラップはループ部を有し、
前記ピンは前記ストラップのループ部に挿通されており、
前記ピンと前記ループ部により、前記ストラップの移動が規制されていることを特徴とするアームレスト付きシート。
【請求項７】
請求項６に記載のアームレスト付きシートであって、
前記ピンは前記ベースフレームの開口部から離れた位置で、かつ、前記露出させたストラップの長さよりも短い位置に設けられていることを特徴とするアームレスト付きシート。
【請求項８】
請求項６または７のいずれか１項に記載のアームレスト付きシートであって、
前記ストラップのループ部の前記ベースフレームの開口部側端の位置は前記ロック機構が解除されない位置に設定され、前記ループ部の前記ロック機構側端の位置は前記ロック機構を解除できる位置に設定されていることを特徴とするアームレスト付きシート。
【請求項９】
請求項６から８のいずれか１項に記載のアームレスト付きシートであって、
前記ベースフレームの開口部にベゼルを有し、該ベゼルの開口部を介して、前記ストラップの他端をアームレストの先端の開口部から露出させることを特徴とするアームレスト付きシート。
【請求項１０】
請求項６から９のいずれか１項に記載のアームレスト付きシートであって、
前記ストラップのループ部は、ストラップを２重にして縫製することで構成されていることを特徴とするアームレスト付きシート。
【手続補正書】
【提出日】平成29年10月26日(2017.10.26)
【手続補正１】
【補正対象書類名】明細書
【補正対象項目名】００１６
【補正方法】変更
【補正の内容】
【００１６】
図２に示すように、ヘッド部３はヘッドカバー１２を備え、当該ヘッドカバー１２には下方から外刃ユニット２４が外刃ケース（不図示）を介して取り付けられる。また、ヘッドカバー１２の内部に内刃ユニット４４、および当該内刃ユニット４４を駆動する駆動機構（不図示）が配設される。ここで、外刃ユニット２４は外刃２２が外刃台２３に固定された構成であり、内刃ユニット４４は内刃４２が内刃台４３に固定された構成である。なお、本実施形態は、外刃ユニット２４と内刃ユニット４４との組合せ（すなわち刃ユニット１８）が二組の例であるが、これに限定されず、一組あるいは三組以上であってもよい。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
光を発生させる光源と、
前記光を伝搬する光学系と、
前記光学系を伝搬した前記光を射出する射出部と、
前記光を照射された被検体から発生する音響波を受信して、電気信号を出力する受信部と、
前記電気信号を用いて、前記被検体の内部の情報を取得する処理部と、
を有し、
前記射出部は、空気中において、前記光照射位置から１４ｃｍ離れた位置における照射密度を、前記射出部の光照射位置における照射密度の０．５％以下に低減させる拡散機構を有する
ことを特徴とする被検体情報取得装置。
【請求項２】
前記拡散機構は、拡散板である
ことを特徴とする請求項１に記載の被検体情報取得装置。
【請求項３】
前記拡散板の拡散角度は６０度以上である
ことを特徴とする請求項２に記載の被検体情報取得装置。
【請求項４】
前記拡散機構は、凹レンズである
ことを特徴とする請求項１に記載の被検体情報取得装置。
【請求項５】
前記光は、波長７００ｎｍ以上９００ｎｍ以下のパルスレーザである
ことを特徴とする請求項１ないし４のいずれか１項に記載の被検体情報取得装置。
【請求項６】
前記光学系は、バンドルファイバを含む
ことを特徴とする請求項１ないし５のいずれか１項に記載の被検体情報取得装置。
【請求項７】
前記射出部の射出端から突出した遮蔽機構を有する
ことを特徴とする請求項１ないし６のいずれか１項に記載の被検体情報取得装置。
【請求項８】
前記射出部の射出端と前記被検体が接触状態にあるかどうかを検知する接触センサと、
前記接触センサが接触状態ではないと検知した場合、前記光の射出を停止する光制御機構と、
をさらに有することを特徴とする請求項１ないし７のいずれか１項に記載の被検体情報取得装置。
【請求項９】
被検体に照射する光を射出する射出部と、
前記光を照射された被検体から発生する音響波を受信する受信部と、
を有し、
前記射出部は、空気中において、前記光照射位置から１４ｃｍ離れた位置における照射密度を、前記射出部の光照射位置における照射密度の０．５％以下に低減させる拡散機構を有する
ことを特徴とするハンドヘルド型のプローブ。
【請求項１０】
前記拡散機構は、拡散板である
ことを特徴とする請求項９に記載のハンドヘルド型のプローブ。
【請求項１１】
前記拡散板の拡散角度は６０度以上である
ことを特徴とする請求項１０に記載のハンドヘルド型のプローブ。
【請求項１２】
前記拡散機構は、凹レンズである
ことを特徴とする請求項９に記載のハンドヘルド型のプローブ。
【請求項１３】
前記射出部は、少なくともバンドルファイバの先端を覆う部材を含む
ことを特徴とする請求項９ないし１２のいずれか１項に記載のハンドヘルド型のプローブ。
【手続補正書】
【提出日】平成29年5月9日(2017.5.9)
【手続補正１】
【補正対象書類名】特許請求の範囲
【補正対象項目名】全文
【補正方法】変更
【補正の内容】
【特許請求の範囲】
【請求項１】
軸部と、該軸部の軸線先端方向に、その内底面において垂直方向に形成される複数の櫛歯を並設してなる塗布部とから構成され、
該塗布部の内底面において並設される複数の櫛歯の全部又は一部を、塗布部の一端側から他端側へ又は両端から中央へ向けて、塗布部の内底面へ正対して、軸部の軸線の延長線上にある仮想軸線と櫛歯の幅方向との内角が鋭角を形成するように配置してなる
ことを特徴とする液状化粧料塗布体。
【請求項２】
上記塗布部の複数の櫛歯の全部又は一部を、塗布部の一端側から他端側へ又は両端から中央へ向けて、塗布部の内底面へ正対して、軸部の仮想軸線と櫛歯の幅方向との内角が鋭角を形成するように配置してなる際に、該櫛歯の幅方向が液状化粧料塗布方向後方に向かって拡開するようにしてなる
ことを特徴とする請求項１記載の液状化粧料塗布体。
【請求項３】
上記塗布部の内底面において並設される複数の櫛歯の全部又は一部を、塗布部の一端側から他端側へ又は両端から中央へ向けて、塗布部の内底面へ正対して、軸部の仮想軸線と櫛歯の幅方向との内角が鋭角を形成するように配置してなる際に、塗布部における複数の櫛歯の幅方向が、該塗布部において内底面上の仮想軸線における垂線上の一の焦点に対して収束するものとする
ことを特徴とする請求項１又は請求項２記載の液状化粧料塗布体。
【請求項４】
上記塗布部の内底面において並設される複数の櫛歯の全部又は一部を、塗布部の一端側から他端側へ又は両端から中央へ向けて、塗布部の内底面へ正対して、軸部の仮想軸線と櫛歯の幅方向との内角が鋭角を形成するように配置してなる際に、塗布部における複数の櫛歯の幅方向が両端より順次、該塗布部において内底面上の仮想軸線における垂線上の複数の焦点に対して上方から下方の焦点へと順次対応するように収束するものとする
ことを特徴とする請求項１又は請求項２記載の液状化粧料塗布体。
【請求項５】
上記軸部の軸線先端方向において形成される塗布部を、軸部の仮想軸線を中心として互いに対向して位置するようにしてなる
ことを特徴とする請求項１乃至請求項４記載の液状化粧料塗布体。
【手続補正書】
【提出日】平成29年9月19日(2017.9.19)
【手続補正１】
【補正対象書類名】明細書
【補正対象項目名】０００８
【補正方法】変更
【補正の内容】
【０００８】
近年、病院における経営活動（コストダウン）のため、フィルムを用いた回診車の放射線発生部はそのまま活用し、フィルム部のみＦＰＤ化（ディジタル化）したいという病院の要望が強まっている。フィルム部のみＦＰＤ化するには前述のとおり同期が必要であり、既に保有している放射線発生装置に何らかの処置が必要となる。しかし、日本においては医療機器に操作者の意図で変更を加えることは許可されていない。このような事情を考慮して、ＦＰＤのバイアス線を流れる電流を検出して、放射線の照射の開始及び終了を自動検知することが知られている（特許文献２）。
【手続補正２】
【補正対象書類名】明細書
【補正対象項目名】００１９
【補正方法】変更
【補正の内容】
【００１９】
放射線発生部１は、放射線画像取得部２に向けて放射線（Ｘ線）１０６を放射する構成要素である。放射線発生部１は、第１の通信部１０３の他に、曝射条件設定部１０１、曝射タイミング設定部１０２、放射線曝射部１０４、及び、曝射スイッチ１０５を有する。曝射条件設定部１０１は、操作者の操作により、管電圧、管電流、曝射時間、管電流と曝射時間の積等の曝射条件を設定する。設定された曝射条件は、第１の通信部１０３、放射線曝射部１０４等に送信される。曝射条件設定部１０１はタッチパネル、キーボード等のユーザインタフェースにより実現される。
【手続補正３】
【補正対象書類名】明細書
【補正対象項目名】００４４
【補正方法】変更
【補正の内容】
【００４４】
曝射条件処理部２０２は、受け取った曝射条件から曝射時間を読み出し、放射線画像取得制御部２０４へ送信する。曝射時間を受け取った放射線画像取得制御部２０４は、受け取った曝射時間を元に放射線撮影の蓄積時間を設定する。操作者が制御部３の撮影要求・許可部３０７を通じて撮影要求を行うと（ＴＣ６０１）、第３の通信部３０１、第２の通信部２０１を通じて放射線画像取得部２の放射線画像取得制御部２０４に撮影の準備を行うよう指示する（ＴＣ６０７）。指示を受けた放射線画像取得制御部２０４は、放射線画像取得部２を放射線画像が撮影可能な状態とし、撮影可能な状態となったことを第２の通信部２０１、第３の通信部３０１を通じて制御部３に伝える。さらに、撮影要求・許可部３０７を用いて操作者に曝射を行ってもよい旨を伝える（ＴＣ６０２）。更に、放射線画像取得部２が撮影可能状態である場合に、放射線発生部１の曝射条件設定部１０１が操作され曝射条件が変更された場合には、前述の動作を行い再度放射線画像取得部２の放射線画像取得制御部２０４の蓄積時間を設定する。このように処理を行うことで、放射線画像取得制御部２０４に設定される蓄積時間は常に最新のものであるようにすることができる。
【手続補正４】
【補正対象書類名】明細書
【補正対象項目名】００４７
【補正方法】変更
【補正の内容】
【００４７】
このように半自動検知モードでは、放射線発生部１から曝射時間を含む曝射条件を放射線画像取得部２へ伝え、放射線画像取得部２はこの曝射時間に応じた時間、放射線画像取得を継続する。このため、特に曝射時間が短い場合の撮影においては、曝射からプレビュー画像表示までの時間（図５のＴ８）、曝射から診断用画像表示までの時間（図５のＴ９）は、電荷蓄積時間が固定の自動検知モードに比べ短くすることが可能である。すなわち、Ｔ５≧Ｔ８、Ｔ６≧Ｔ９とすることができる。なお、同期モード時と半自動同期モード時においては、同じ曝射時間であっても半自動同期時モードの方が蓄積時間が長く設定されるため、プレビュー表示時間、診断用画像表示時間は同期モードの方が短いことが多い。プレビュー画像の表示時間、診断用画像の表示時間の関係をそれぞれまとめると、Ｔ５≧Ｔ８≧Ｔ２、Ｔ６≧Ｔ９≧Ｔ３となる。
【手続補正５】
【補正対象書類名】図面
【補正対象項目名】図４
【補正方法】変更
【補正の内容】
【図４】
2016097115.tif 000001
【手続補正６】
【補正対象書類名】図面
【補正対象項目名】図５
【補正方法】変更
【補正の内容】
【図５】
2016097115.tif 000002
【手続補正７】
【補正対象書類名】図面
【補正対象項目名】図６
【補正方法】変更
【補正の内容】
【図６】
2016097115.tif 000003
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
特別図柄表示装置と、
遊技球が入賞したことを検出する入賞球検出手段を備え、該入賞球検出手段により遊技球の入賞を検出すると所定数の賞球が払い出される可変入賞装置と、
前記入賞球検出手段が遊技球を検出したことを契機に前記特別図柄表示装置に所定の図柄を変動表示する特別図柄表示制御手段と、
前記特別図柄表示制御手段により前記特別図柄表示装置に所定の大当り図柄が確定表示されたときに、遊技者にとって有利な特別遊技を発生させる特別遊技発生手段と、
普通図柄表示装置と、
遊技球が入球したことを検出する入球検出手段を備えた普通図柄作動装置と、
前記入球検出手段が遊技球を検出したことを契機に前記普通図柄表示装置に所定の普通図柄を変動表示する普通図柄表示制御手段と、
前記普通図柄表示制御手段により前記普通図柄表示装置に所定の当り図柄が確定表示されたときに、前記可変入賞装置を、遊技球が入賞し難い第１状態から入賞し易い第２状態に予め設定された設定時間だけ変化させる制御手段と、
前記特別図柄表示装置における図柄の変動表示に係る演出を、少なくとも所定の演出表示装置に表示することにより実行させる変動演出表示制御手段と、
を備えた遊技機であって、
前記変動演出表示制御手段は、
第１演出ステージと第２演出ステージを含む複数種類の演出ステージの中から所定の遊技条件に応じて何れかの演出ステージを選択する演出ステージ選択手段と、
前記演出ステージ選択手段により選択された演出ステージを所定期間滞在させて、該選択された演出ステージに対応する演出を設定して前記演出表示装置に表示させる演出ステージ設定手段と、
前記入賞球検出手段により遊技球が入賞したことを検出した場合に、変動表示の結果として前記大当り図柄が確定表示されることにより前記特別遊技が発生する期待度を、当該遊技球の入賞に基づく前記特別図柄表示装置における図柄の変動表示中に所定の態様で予告的に示唆演出する予告演出手段と、を有し、
前記予告演出手段が実行する前記示唆演出には、前記第１演出ステージと前記第２演出ステージのいずれの演出ステージにおいても選択される特定の予告演出を含み、前記特定の予告演出は、滞在している演出ステージが前記第１演出ステージであるか、前記第２演出ステージであるかによって、その期待度が異なることを特徴とする弾球遊技機。
【手続補正２】
【補正対象書類名】明細書
【補正対象項目名】０００４
【補正方法】変更
【補正の内容】
【０００４】
演出の傾向が異なる複数の演出モードを設けた遊技機は、既に多数存在している。そのため、複数の演出モードを設ける場合に、従来機種との差別化を図るためには、遊技の興趣のさらなる向上が求められている。
【手続補正３】
【補正対象書類名】明細書
【補正対象項目名】０００５
【補正方法】変更
【補正の内容】
【０００５】
本願発明は上記課題に鑑みたもので、遊技の興趣の向上を図ることのできる遊技機の提供を目的とする。
【手続補正４】
【補正対象書類名】明細書
【補正対象項目名】０００６
【補正方法】変更
【補正の内容】
【０００６】
上記課題を解決するために、本発明のある態様の弾球遊技機は、特別図柄表示装置と、遊技球が入賞したことを検出する入賞球検出手段を備え、該入賞球検出手段により遊技球の入賞を検出すると所定数の賞球が払い出される可変入賞装置と、入賞球検出手段が遊技球を検出したことを契機に特別図柄表示装置に所定の図柄を変動表示する特別図柄表示制御手段と、特別図柄表示制御手段により特別図柄表示装置に所定の大当り図柄が確定表示されたときに、遊技者にとって有利な特別遊技を発生させる特別遊技発生手段と、普通図柄表示装置と、遊技球が入球したことを検出する入球検出手段を備えた普通図柄作動装置と、入球検出手段が遊技球を検出したことを契機に普通図柄表示装置に所定の普通図柄を変動表示する普通図柄表示制御手段と、普通図柄表示制御手段により普通図柄表示装置に所定の当り図柄が確定表示されたときに、可変入賞装置を、遊技球が入賞し難い第１状態から入賞し易い第２状態に予め設定された設定時間だけ変化させる制御手段と、特別図柄表示装置における図柄の変動表示に係る演出を、少なくとも所定の演出表示装置に表示することにより実行させる変動演出表示制御手段と、を備えた遊技機であって、変動演出表示制御手段は、第１演出ステージと第２演出ステージを含む複数種類の演出ステージの中から所定の遊技条件に応じて何れかの演出ステージを選択する演出ステージ選択手段と、演出ステージ選択手段により選択された演出ステージを所定期間滞在させて、該選択された演出ステージに対応する演出を設定して演出表示装置に表示させる演出ステージ設定手段と、入賞球検出手段により遊技球が入賞したことを検出した場合に、変動表示の結果として大当り図柄が確定表示されることにより特別遊技が発生する期待度を、当該遊技球の入賞に基づく特別図柄表示装置における図柄の変動表示中に所定の態様で予告的に示唆演出する予告演出手段と、を有する。予告演出手段が実行する示唆演出には、第１演出ステージと第２演出ステージのいずれの演出ステージにおいても選択される特定の予告演出を含み、特定の予告演出は、滞在している演出ステージが第１演出ステージであるか、第２演出ステージであるかによって、その期待度が異なる。
【手続補正５】
【補正対象書類名】明細書
【補正対象項目名】０００８
【補正方法】変更
【補正の内容】
【０００８】
本発明の弾球遊技機によれば、遊技の興趣の向上を図ることができる。
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
ボイラ排水を混合槽へ供給する排水ラインと、
前記排水ラインを流れる前記ボイラ排水のｐＨを測定するｐＨ測定装置と、
前記排水ライン上に設けられ、前記ボイラ排水に前記ボイラ排水のｐＨを調整するｐＨ調整剤を添加するｐＨ調整装置と、
海水又は塩水を電気分解して次亜塩素酸を有する電解処理水を生成する電解装置と、
前記排水ラインと前記混合槽との合流部より上流に設けられ、前記電解装置で生成された次亜塩素酸を前記ボイラ排水に供給する供給ラインと、
前記ｐＨ測定装置の測定値に基づいて前記ｐＨ調整剤の添加量を制御する制御装置と、を有し、
前記ｐＨ調整装置は、前記排水ライン上において、前記合流部よりも上流側で前記ボイラ排水のｐＨを調整するアンモニア処理システム。
【請求項２】
前記ｐＨ測定装置は、前記ｐＨ調整装置の下流側であって、前記ｐＨ調整装置によって添加された前記ｐＨ調整剤によって調整された前記ボイラ排水のｐＨが安定する位置に配置されている請求項１に記載のアンモニア処理システム。
【請求項３】
前記排水ラインの上流側に設けられて前記ボイラ排水を貯留する貯留槽と、
前記貯留槽に貯留された前記ボイラ排水のｐＨを測定する貯留槽ｐＨ測定装置と、を有し、
前記制御装置は、前記貯留槽ｐＨ測定装置の測定値に基づいて前記電解装置にて生成される次亜塩素酸量を制御する請求項１又は請求項２に記載のアンモニア処理システム。
【手続補正２】
【補正対象書類名】明細書
【補正対象項目名】０００８
【補正方法】変更
【補正の内容】
【０００８】
本発明の第一の態様によれば、アンモニア処理システムは、ボイラ排水を混合槽へ供給する排水ラインと、前記排水ラインを流れる前記ボイラ排水のｐＨを測定するｐＨ測定装置と、前記排水ライン上に設けられ、前記ボイラ排水に前記ボイラ排水のｐＨを調整するｐＨ調整剤を添加するｐＨ調整装置と、海水又は塩水を電気分解して次亜塩素酸を有する電解処理水を生成する電解装置と、前記排水ラインと前記混合槽との合流部より上流に設けられ、前記電解装置で生成された次亜塩素酸を前記ボイラ排水に供給する供給ラインと、前記ｐＨ測定装置の測定値に基づいて前記ｐＨ調整剤の添加量を制御する制御装置と、を有し、前記ｐＨ調整装置は、前記排水ライン上において、前記合流部よりも上流側で前記ボイラ排水のｐＨを調整することを特徴とする。
【誤訳訂正書】
【提出日】平成29年3月17日(2017.3.17)
【誤訳訂正１】
【訂正対象書類名】明細書
【訂正対象項目名】０１２７
【訂正方法】変更
【訂正の内容】
【０１２７】
例えば図１１Ａおよび１１Ｂは、処置アセンブリの基端に変形力を加えるように構成された処置デバイス６１２の実施形態を示す。処置デバイス６１２は、ハンドルアセンブリ６３４に結合された基端と、処置アセンブリ６２１に結合された先端とを有する管状の細長いシャフト６１６を含む。例示された処置アセンブリ６２１は、複数のエネルギー送達要素６２４を運搬する管状支持構造６２２を含む。エネルギー供給ワイヤ（明確にするために省略）が、支持構造６２２に沿って内側または外側から伸長して、処置エネルギーをエネルギー送達要素６２４に提供する。支持構造６２２の基端６２２ｂは、管状の細長いシャフト６１６の先端内に配設され、そこに付着されている。支持構造６２２は、好ましくは、処置アセンブリ６２１を超えて遠位から、そしてハンドルアセンブリ６３４を超えて近位から伸長し得るガイドワイヤ６６６の通過のために内部管腔を有する管状制御部材６６８の周りをくるまれた螺旋形状を画定する。したがって処置デバイス６１２は、オーバーザワイヤ送達のために構成されている。支持構造の先端６２２ａは、管状制御部材６６８の遠位領域に結合されている。制御部材６６８は、近位から細長いシャフト６１６内へ伸長して、ハンドルアセンブリ６３４の内表面に付着される。したがって支持構造６２２の先端６２２ａは、ハンドルアセンブリ６３４から一定距離を維持することが可能となる。